(57)【要約】      （修正有）【課題】ポケットの開口部の止定具を設けることなく、自然にポケットの開け閉めがなされ、ポケットを逆さにした状態において、ポケット内の収納物を確実に受け止める構造を備えたポケットを提供する。【解決手段】収納物脱落防止機能を有するポケットは、表面側シート２０の開口上縁部を除く周囲を基材Ｂに接着することにより構成されるポケットであって、該表面側シート２０の開口上縁部からポケット内側に垂下片Ａ１を設け、該垂下片Ａ１は、その左右両端が表面側シート２０と接着され、垂下片Ａ１の下端ｂが表面側シート２０と非接着とし、垂下片Ａ１が表面側シート２０より幅広に形成され、垂下片Ａ１に、ポケット内の収納物の出入方向に対して平行な方向に保形用桟１４ａ、１４ｂを設けたことにより、表面側シート２０と垂下片Ａ１との間に垂下片Ａ１の下端ｂが開放する開放空間部ｐが形成されてなる構成である。【選択図】図９
0003158619.tif 000002
【実用新案登録請求の範囲】
【請求項１】
表面側シートの開口上縁部を除く周囲を基材に接着することにより構成されるポケットであって、
該表面側シートの開口上縁部からポケット内側に垂下片を設け、
該垂下片は、その左右両端が表面側シートと接着され、垂下片の下端が表面側シートと非接着としたことにより、表面側シートと垂下片との間に垂下片の下端が開放する開放空間部が形成されてなることを特徴とする収納物脱落防止機能を有するポケット。
【請求項２】
垂下片が表面側シートより幅広に形成してなることを特徴とする請求項１に記載の収納物脱落防止機能を有するポケット。
【請求項３】
垂下片に、ポケット内の収納物の出入方向に対して平行な方向に保形用桟を設けてなることを特徴とする請求項１又は２に記載の収納物脱落防止機能を有するポケット。
【考案の詳細な説明】
【技術分野】
【０００１】
本考案は、物品を収納するための衣服のポケット等のポケットに関し、特にポケットを逆さにしてもポケット内の収納物が脱落しない機能を有するポケットに関する。
【背景技術】
【０００２】
従来より、ポケット内の収納物が脱落するのを防止する構造として、一般的には、ポケットの開口部に開口を塞ぐ手段が設けられている。すなわち、ボタンや面ファスナーなどの止定具をポケットの開口部に設け、該止定具を必要に応じて操作することによりポケットの開口部を開け閉めできるようにしたものである。特許文献１に記載のものは、止定具としてマグネットを利用したものである。
【０００３】
特許文献２に示されるポケットは、ポケット布の内側上端に摩擦抵抗の大きい滑り止め部を設けたものである。
【０００４】
特許文献３に示されるポケットは、ポケットの開口部をギャザーにより絞った構成である。
【０００５】
特許文献４に示されるポケットは、ポケットの開口辺に可撓性で弾性回復力のあるプラスチックス片を収納してなるものである。
【先行技術文献】
【特許文献】
【０００６】
【特許文献１】特開２００４−１６９２５９号公報
【特許文献２】特開２００２−８８５４７号公報
【特許文献３】実開平５−３０１１４号公報
【特許文献４】特開２００１−２０７３１７号公報
【考案の概要】
【考案が解決しようとする課題】
【０００７】
しかしながら、特許文献１に示されるようなポケットの開口部に止定具を設けた構成の場合には、ポケットを開け閉めするために止定具を操作する必要がある。すなわち、ポケット内の収納物を取り出す際には止定具を解除する手間を要する。また、止定具により開口部を閉塞する操作を失念したときには、ポケット内の収納物の脱落防止機能は果たされないため、ポケットの開口部の閉塞状態を常に注意しておかなければならないものであった。
【０００８】
また、特許文献２〜４に示されるようなポケットの場合には、ポケットの開口部が常に開口していることが前提のものであり、ポケット内の収納を確実に受け止める構造を備えておらず、収納物の大きさによっては脱落防止構造をすり抜けてしまうことがあるため、ポケット内の収納物の脱落を防止するには不十分なものであった。
【０００９】
そこで、本考案者は、鋭意研究を重ね、ポケットの開口部に止定具を設けず、ポケットに物品を出し入れする際には障害にならず、ポケットを逆さにした状態においてポケット内の収納物を確実に受け止める構造を備えたポケットを考案した。
【課題を解決するための手段】
【００１０】
本考案に係る収納物脱落防止機能を有するポケット（以下、単に「ポケット」という。）は、表面側シートの開口上縁部を除く周囲を基材に接着することにより構成されるポケットであって、該表面側シートの開口上縁部からポケット内側に垂下片を設け、該垂下片は、その左右両端が表面側シートと接着され、垂下片の下端が表面側シートと非接着としたことにより、表面側シートと垂下片との間に垂下片の下端が開放する開放空間部が形成されてなることを特徴とするものである。
【００１１】
また、上記の構成に加えて、垂下片が表面側シートより幅広に形成してなる構成としてもよい。
【００１２】
さらに、上記の構成に加えて、垂下片に、ポケット内の収納物の出入方向に対して平行な方向に保形用桟を設けてなる構成としてもよい。
【考案の効果】
【００１３】
本考案に係るポケットは、上記の構成よりなるので、ポケット内に収納した収納物が、ポケットを逆さにしたときに、垂下片により形成される開放空間部により受け止められるので、収納物がポケットの開口部からポケット外に脱落するおそれがない。また、ポケットの開口部は垂下片が遮ることなく常に開口しているので、ポケット内に物品を出し入れしたり、取り出したりする際に特段の操作は不要である。
【図面の簡単な説明】
【００１４】
【図１】本考案の実施例であって、ポケット体の展開図である。
【図２】ポケット体の第一段階の形成手順を示す斜視図である。
【図３】ポケット体の第二段階の形成手順を示す斜視図である。
【図４】ポケット体の第三段階の形成手順を示す斜視図である。
【図５】ポケット体の第四段階の形成手順を示す斜視図である。
【図６】ポケット体の第五段階の形成手順を示す斜視図である。
【図７】ポケット体の第六段階の形成手順を示す斜視図である。
【図８】図７のVIII−VIII線断面図である。
【図９】（ａ）はポケット体を縫着した状態を示す概略斜視図であり、（ｂ）は（ａ）の中央縦拡大断面図である。
【図１０】ポケットに物品を出し入れしようとする状態を示す概略端面図である。
【図１１】ポケットに物品を収納した状態を示す概略端面図である。
【図１２】ポケット内の物品を取り出そうとする状態を示す概略端面図である。
【図１３】物品を収納したポケットを逆さにした状態を示す概略端面図である。
【考案を実施するための形態】
【００１５】
以下に本考案の好適な実施例を図１〜図１３に基いて詳細に説明する。
【実施例】
【００１６】
図１に示すポケット体Ａの展開図はポケット体Ａの内側から見た図である。Ａ１はポケット体内側に位置する垂下片であって、図１〜図６の一部はその展開状態を示したものである。Ａ２は主として表面側シート２０により構成されるポケット体Ａの収納部であって、図１〜図６の一部はその展開状態を示したものである。垂下片Ａ１の展開状態においては、図７及び図８に示す垂下片Ａ１の最終組立状態において開放空間部ｐが形成されるように表面側シート２０より幅広に構成しているため、上端部１１を除いて算盤玉状の形態をなしている。ポケット体Ａは図９に示すように衣服などの基材Ｂに縫着などにより接着することによりポケットとなる。
【００１７】
ポケット体Ａの組立は、まず垂下片Ａ１の展開状態の上部に位置するポケット開口縁に平行な折り目線ａにより上端部１１を、図２に示すように内側に折り返す。この上端部１１は、ポケット体Ａの組立状態においてポケット体Ａ上端を形成することとなり、該上端の補強となる。そして、垂下片Ａ１の展開状態の中央に位置するポケット開口縁に平行な折り目線ｂにより垂下片上半部１２を、図３に示すように内側に折り返して垂下片下半部１３に重ね合わせ、その下端を縫着する。ｃは縫着部を示す。垂下片上半部１２と垂下片下半部１３とを重ね合わせたものが垂下片Ａ１を構成することとなり、収納部Ａ２よりも先端に向かって幅広となっている。
【００１８】
次に、図３に示すように、ポケット内の収納物の出入方向に対して平行な折り目線ｄ、ｅを谷折りに折曲して縫着する。この縫着により、図３の展開状態を裏返した図４に示されるように突条の保形用桟１４ａ、１４ｂが形成される。そして、図４に示す展開状態を裏返し、下部のポケット開口縁に平行な折り目線ｆにより、図５に示すように垂下片Ａ１を内側に折り返す。この図５に示す展開状態において、垂下片Ａ１の折返しを元に戻し、図６に示すように両側の折り目線ｇ、ｈにてポケット体Ａの両側部１５ａ、１５ｂを内側に折返し、下端部の折り目線ｉにてポケット体Ａの下端部１６を内側に折り返す。図６に示す展開状態において、垂下片Ａ１を内側に折り返し、図７に示すようにその両側端ｊ、ｋを収納部Ａ２の両側端に揃えて縫着する。ｌ、ｍは縫着部を示す。これによりポケット体Ａが完成する。完成したポケット体Ａは、図８の断面図に示されるように表面側シート２０と垂下片Ａ１との間に垂下片Ａ１の下端ｂが開放する開放空間部ｐが形成され、この開放空間部ｐの開放状態が保形用桟１４ａ、１４ｂにより維持される。
【００１９】
上記のように組み立てられたポケット体Ａを、図９（ａ）に示すように衣服などの基材Ｂにポケット開口縁を除く周囲を縫着することにより接着するとポケットが完成する。この状態において、図９（ｂ）の断面図に示すように、ポケット開口部Ａ３はポケット内に物品Ｃを出し入れ可能に上方に開口している。図１０はポケット内に物品Ｃを出し入れする状態を示しており、図１１はポケットの収納部に物品Ｃを収納した状態を示し、図１２はポケット内の物品Ｃを取り出そうとする状態を示す。このようにポケット開口部Ａ３は常に上方に開口しており、ポケットに物品Ｃを収納する際にも、ポケット内の物品Ｃを取り出す際にも、垂下片Ａ１が障害になることはない。しかしながら、垂下片Ａ１は下方に垂下すると共に揺動自在な状態で保形用桟１４ａ、１４ｂにより基材Ｂ側に片寄ってポケット開口部Ａ３を閉塞する機能を果たしている。したがって、図１３に示すように、ポケットが上下逆さになった場合には、収納されている物品Ｃは、垂下片Ａ１により形成される開放空間部ｐ内に入り込み、ポケットの外に脱落することを防止する。
【００２０】
以上のように、本実施例に係る収納物脱落防止機能を有するポケットは、表面側シート２０の開口上縁部を除く周囲を基材Ｂに接着することにより構成されるポケットであって、該表面側シート１０の開口上縁部からポケット内側に垂下片Ａ１を設け、該垂下片Ａ１は、その左右両端が表面側シート２０と接着され、垂下片Ａ１の下端ｂが表面側シート２０と非接着としたことにより、表面側シート２０と垂下片Ａ１との間に垂下片Ａ１の下端ｂが開放する開放空間部ｐが形成されてなり、また、垂下片Ａ１が表面側シート２０より幅広に形成され、垂下片Ａ１に、ポケット内の収納物の出入方向に対して平行な方向に保形用桟１４ａ、１４ｂを設けてなる構成である。
【００２１】
したがって、本実施例に係るポケットは、ポケット内に収納した収納物Ｃが、ポケットを逆さにしたときに、垂下片Ａ１により形成される開放空間部ｐにより受け止められるので、収納物Ｃがポケットの開口部Ａ３からポケット外に脱落するおそれがない。また、ポケットの開口部Ａ３は垂下片Ａ１が遮ることなく常に開口しているので、ポケット内に物品Ｃを収納したり取り出したりする際に特段の操作は不要である。
【符号の説明】
【００２２】
Ａ・・・ポケット体          Ａ１・・垂下片
Ａ２・・収納部              Ａ３・・開口部
Ｂ・・・基材                Ｃ・・・物品
１１・・上端部              １２・・垂下片上半部
１３・・垂下片下半部        １４ａ・保形用桟
１４ｂ・保形用桟            １５ａ・側部
１５ｂ・側部                １６・・下端部
２０・・表面側シート
ａ、ｂ、ｄ、ｅ、ｆ、ｇ、ｈ、ｉ、ｊ、ｋ・・・折り目線
ｃ、ｌ、ｍ・・・縫着部
ｐ・・・開放空間部
【図１】
0003158619.tif 000003
【図２】
0003158619.tif 000004
【図３】
0003158619.tif 000005
【図４】
0003158619.tif 000006
【図５】
0003158619.tif 000007
【図６】
0003158619.tif 000008
【図７】
0003158619.tif 000009
【図８】
0003158619.tif 000010
【図９】
0003158619.tif 000011
【図１０】
0003158619.tif 000012
【図１１】
0003158619.tif 000013
【図１２】
0003158619.tif 000014
【図１３】
0003158619.tif 000015